(57)【要約】【課題】  ウエストリフト方式のマネキン人形支持スタンドの開発によって、展示衣服の着せ替えが楽になり、フレキシブルマネキンの開発によって、展示装飾の演出効果も増大したが、従来の技術では、マネキン人形の姿勢が直立であったり、僅かの傾斜であったため、実現できるマネキン人形のポーズには限界があり、例えば、各種スポーツの複雑で激しい動きの一瞬を捉えて再現することは困難で、さらなる自在性が求められていた。【解決手段】  上述の課題を解決するため、本発明では、最上部のマネキン人形支持部のすぐ下方に、自在に角度を選んで固定するためのジョイントを、互いに直角をなす向きで縦に２個連設することにより、前後、左右への傾斜を組み合わせて、マネキン人形の姿勢を、三次元の設置角度に固定することを可能にした。【選択図】図１
2016214799.tif 000002
【特許請求の範囲】
【請求項１】
胴の部分を支持してマネキン人形を自立させるウエストリフト方式のマネキン人形支持スタンドに於いて、該スタンドのマネキン人形支持部を保持するシャフトに、角度固定用のジョイントを、互いに直角をなして縦に２個連設したことを特徴とするマネキン人形支持スタンド
【請求項２】
角度固定用のジョイントが、小口に波型の接合面を備えた一対の冠歯車状のカップであり、該カップそれぞれの外縁に、シャフトが、該シャフトの外径の二分の一を架けて延設され、互いに波型の接合面を合わせてボルト・ナットで接合されることを特徴とする請求項１のマネキン人形支持スタンド
【請求項３】
角度固定用のジョイントが、一方の内面の中心にボルトが突設され、他方の内面の中心に貫通孔が穿たれた筒状突起が形成された、一対の冠歯車状のカップであって、該一対のカップが合わさって構成される空間内に納められた圧縮コイルバネを介して、ノブナットによって接合されることを特徴とする請求項１及び請求項２のマネキン人形支持スタンド
【請求項４】
角度固定用のジョイントが、一方の内面の中心に雌ネジが穿たれた突起が設けられ、他方の内面の中心に貫通孔が穿たれた筒状突起が形成された、一対の冠歯車状のカップであって、該一対のカップが合わさって構成される空間内に納められた圧縮コイルバネを介して、ノブボルトによって接合されることを特徴とする請求項１及び請求項２のマネキン人形支持スタンド
【請求項５】
角度固定用のジョイントが、一対のカップの外側から圧縮コイルバネを介しでノブボルト又はノブナットによって接合されることを特徴とする請求項１及び請求項２のマネキン人形支持スタンド
【発明の詳細な説明】
【技術分野】
【０００１】  本発明は、マネキン人形を自立させるためのマネキン支持スタンドに関し、特にマネキン人形を、胴の部分を支持して任意の姿勢に保持する角度固定機構付マネキン支持スタンドに関するものである。
【背景技術】
【０００２】  従来、マネキン人形は、片方の足裏に穿たれた嵌入孔に、ベース板に立設された挿入部を嵌入して自立させるピン差し方式であったため、手足に多少のポーズは施せたものの、姿勢が直立のみであったため、演出効果が発揮され難かった。又、展示衣服の着せ替えの際には、マネキン人形をベース板から取り外す手間が必要であった。【０００３】  その後、手足、首等の関節部が自在に可動するフレキシブルマネキンが登場して、手足のポーズのバリエーションが大幅に増し、又、支柱付のマネキン支持スタンドに、マネキン人形を胴の部分を支持して自立させる人形支持部を備えた、ウエストリフト方式のマネキン支持スタンドが開発され、マネキン人形をスタンドに自立させた状態で、展示衣服の着せ替えができるようになった。【０００４】  尚、上述のウエストリフト方式のマネキン人形支持スタンドは、マネキン人形の胴部分の腰下に人形支持部挿入口を穿って人形を支持する、人形支持部をスタンド上部に備えた中軸が、ベース板に立設された外軸である支柱に、回動自在、且つ摺動自在に差し込まれ、任意の高さ及び向きで固定されるべく、該外軸である支柱には、押しネジ等の係止機構が設けられている。【０００５】  近年、マネキン人形支持部とシャフトとの間に、前後の角度の調整機構を有する可動取付部を設けたマネキン人形支持スタンドが開発されたことにより、商品展示用マネキン人形の自立姿勢に前後の傾斜が加わり、全身の関節部が自在に可動するフレキシブルマネキンとの相乗効果で、ポーズの演出範囲がさらに広まった。
【先行技術文献】
【特許文献】
【０００６】
【特許文献１】特開２００３−２６５２８６号
【特許文献２】特開２００８−０２３１７１号
【発明の概要】
【発明が解決しようとする課題】
【０００７】  これらの先行技術の開発によって、展示衣服の着せ替えも楽になり、マネキン人形を使用した展示装飾の演出効果も増大したが、先行技術の可動取付部の構造では、傾斜が前後に限定され又、傾斜角度も狭いため、実現できるマネキン人形の姿勢には限界があり、例えば、各種スポーツの複雑で激しい動きの一瞬を捉えて再現することは困難で、さらなる自在性が求められていた。
【課題を解決するための手段】
【０００８】  上述の課題を解決するため、本発明では、マネキン人形支持部を保持するシャフトである中軸に、自在に角度を選んで固定するためのジョイントを、互いに直角をなす向きで縦に連設し、ベース板に立設したマネキン支持スタンドの支柱である外軸内に、摺動自在、且つ、回動自在に嵌入し、押しネジで係止する構成とした。【０００９】  本発明のマネキン人形支持スタンドでは、上述の角度固定ジョイントが、互いに直角をなす向きで縦方向に連設された２軸構造であるため、マネキン人形支持部に保持された、人形の胴の部分の姿勢を、前後、左右いずれの向きにも、必要に応じて片側９０度以上の角度までも傾斜させることが可能である。【００１０】  また、本マネキン人形支持スタンドは、マネキン人形を保持する人形支持部を備えたシャフトである中軸が、ベース板に立設された支柱である外軸内側に、回動自在、且つ、摺動自在に係止されるため、マネキン人形が如何なる傾斜、高さで保持されても、向きは自ずから自在である。
【発明の効果】
【００１１】  本発明のマネキン人形支持スタンドの角度固定ジョイントは、前述のように、前後、左右への傾斜及び方向が別個に固定できる２軸構成であるため、三脚にカメラを装着するときに用いられる高性能な雲台のように、如何なる向きでも確実な角度固定が可能なマネキン人形支持スタンドを提供できる。【００１２】  又、本発明の角度固定ジョイント付マネキン人形支持スタンドの角度固定ジョイントは、如何なる方向に対しても、傾斜の角度にほとんど制限がないため、展示衣服の着せ替えが容易にできることは勿論、激しいスポーツの一瞬を捉えたマネキンのポーズまでも確実に表現できる。
【図面の簡単な説明】
【００１３】
【図１】本発明のマネキン人形支持スタンドの全体を示す正面図（ａ）及び側面図（ｂ）である。
【図２】本発明のマネキン人形支持スタンドの角度固定ジョイントの部分の三面図である。
【図３】本発明のマネキン人形支持スタンドの角度固定ジョイントの断面詳細図（ａ）及び分解断面図（ｂ）である。
【図４】先行技術の角度調節用可動取付部を備えたマネキン人形支持スタンドの側面図である。
【図５】本発明のマネキン人形支持スタンドの使用例を示す斜視図である。
【発明を実施するための最良の形態】
【００１４】  本発明の実施に於けるマネキン人形支持スタンド１は、マネキン人形２の胴の部分に穿たれた嵌入口に、人形支持部１０に突設された嵌入突起２０を嵌入して保持するが、該人形支持部１０の下部を延接した角度固定ジョイント３、及び、互いに直角をなす向きで設けられた別の角度固定ジョイント３を備えたシャフト１２である中軸が、ベース板１１に立設されたスタンドの支柱１３である外軸に、回動自在、且つ、摺動自在に差し込まれてなり、任意の高さ及び向きで固定されるべく、押しネジ１４等の係止機構が設けられている。
【実施例】
【００１５】  以下、本発明に係るマネキン人形支持スタンド１の実施例を、図面に基づいて詳細に説明する。図１は、本発明のマネキン人形支持スタンド１の全体を示す正面図（ａ）及び側面図（ｂ）である。マネキン人形支持部１０を延設した角度固定ジョイント３と、互いに直角をなす向きで縦方向に連接した別の角度固定ジョイント３が設けられたシャフト１２である中軸の下部が、ベース板１１に立設されたスタンドの支柱１３である外軸内に、回動自在、且つ摺動自在に差し込まれ、押しネジ１４で係止されている。【００１６】  図２は、角度固定ジョイント３の部分の三面図であり、該ジョイント３は、相対する一対の冠歯車状のカップ３０からなり、上方のジョイント３の一方のカップ３０の底面には、マネキン人形支持部１０の下端が延設され、他のそれぞれのカップ３０の外縁には、シャフト１２が外径の凡そ二分の一が架かる位置で延設され、互いに波型に形成された接合面３３を合わせて、ボルト３１を回転軸として、回動自在に接合されている。【００１７】  角度固定ジョイント３は、図３の断面詳細図（ａ）及び分解断面図（ｂ）に示すように、一対のカップ３０からなっているが、一方には内側中心に両切りのボルト３１が突設され、他方には内側中心に該ボルト３１を挿通させる貫通孔３２が穿たれた筒状の突起が設けられている。【００１８】  一方のカップ３０に突設されたボルト３１は、一対のカップ３０が合わされて構成される空間内に収められた圧縮コイルバネ３４をくぐり、他方のカップ３０の貫通孔３２を挿通して両者を合わせ、ノブナット３５で接合される構造であり、緩めれば該圧縮コイルバネ３４の反発力により、波型の接合面３３が離れ、ノブナット３５をボルト３１から外すことなく、該ボルト３１を軸として互いに回動が可能となり、締め込めば波型接合面３３が互いに喰い込み、延設されたシャフト１２の角度をしっかりと固定する。【００１９】  本発明のマネキン人形支持スタンド１は、上述の角度固定ジョイント３を、スタンドの中軸であるシャフト１２に、互いに直角をなす向きで縦に２個連設することにより、該支柱１２の上方に設けられた人形支持部１０を、前後、左右への傾斜を組み合わせて、自在に三次元の設置角度に固定することができる。【００２０】  図４（ａ）は、先行技術の角度調節用可動取付部４方式によるマネキン人形支持スタンドの側面図であり、（ｂ）最大傾斜可能角度の想定図ある。該角度調節用可動取付部４方式のマネキン人形支持スタンドは、人形支持部１０を延設した樋状取付体４１が回動支点４２で支持され、ノブボルト４０によりシャフト１２との間隔を調節するもので、人形支持部１０の傾斜が前後方向のみである上、傾き可能な角度も限られるため、自在なポージングが制限される。【００２１】  図５は、本発明のマネキン人形支持スタンド１が実現する様々な使用例の斜視図であり、（ａ）は本発明の角度固定ジョイント付マネキン支持スタンド１に保持された直立姿勢のマネキン人形２、（ｂ）は本発明の角度固定ジョイント付マネキン支持スタンド１に保持されたバスケットボール選手のマネキン人形２が、ボールをドリブルする様を表した使用例である。（ｃ）は本発明の角度固定ジョイント付マネキ���支持スタンド１に保持されたサッカー選手のマネキン人形２が、ボールを蹴る瞬間を表現した例である。
【産業上の利用可能性】
【００２２】  本発明のマネキン人形支持スタンドは、マネキン人形を、衣料品売り場のファッション製品展示用としての使用方法に留めることなく、各種イベントに於けるコンパニオンの代わりとして、又、スポーツ大会のシンボルキャラクターとして等々、新たな活用範囲に広げるばかりでなく、小型化することにより、圧倒的な数量が見込まれる一般需要、例えばフィギアの展示スタンドとしての利用も十分考えられる。
【符号の説明】
【００２３】        １  マネキン人形支持スタンド
２  マネキン人形
３  角度固定ジョイント
４  角度調節用可動取付部（先行技術）
１０  人形支持部
１１  ベース板
１２  シャフト（中軸）
１３  支柱（外軸）
１４  押しネジ
２０  嵌入突起
３０  カップ
３１  ボルト
３２  挿通孔
３３  波型接合面
３４  圧縮コイルバネ
３５  ノブナット
４０  ノブボルト
４１  樋状取付体
４２  回動支点
【図１】
2016214799.tif 000003
【図２】
2016214799.tif 000004
【図３】
2016214799.tif 000005
【図４】
2016214799.tif 000006
【図５】
2016214799.tif 000007